【手続補正書】
【提出日】平成19年9月20日(2007.9.20)
【手続補正１】
【補正対象書類名】明細書
【補正対象項目名】特許請求の範囲
【補正方法】変更
【補正の内容】
【特許請求の範囲】
【請求項１】搬送方向に所定寸法で且つ該搬送方向に実質的に隙間ない状態の板状体を搬送自在な第１搬送部材と、
第１搬送部材の搬送方向下手側端部近辺より搬送方向下手側に渡って配備され、板状体を第１搬送部材の搬送方向と同じ方向に搬送自在な第２搬送部材と、
第１搬送部材側から第２搬送部材の搬送方向上手側端部に至るまでの間に設けられた第１位置と、第２搬送部材の前記上手側端部よりも搬送方向下手側に設けられた第２位置との間だけで、搬送面が少なくとも第２搬送部材の搬送面よりも上方となる状態で第１搬送部材の搬送方向と同じ方向に変速走行し、板状体を搬送自在な第１中間搬送部材と、
間隔を開けるべき２枚の板状体で、搬送方向上手側にある板状体の同方向下手側端部が第１位置より搬送方向上手側に所定距離離れた位置に到達したことを検出自在な検出器と、
該検出器からの信号に基づいて、前記搬送方向上手側にある板状体の同方向下手側端部が第１位置に到達したタイミングに合わせて、第１中間搬送部材を第１位置から第２搬送部材の搬送の速さとほぼ同速で走行している第１搬送部材の搬送の速さとほぼ等しい速さで走行させ、次に第１中間搬送部材の搬送面の下手側端部が第２搬送部材の搬送面よりも上方に移動してから第１搬送部材の搬送の速さと第２搬送部材の搬送の速さとを比較して第２搬送部材の搬送の速さの方が相対的に早くなるように走行させ、次に第１中間搬送部材の搬送面の下手側端部が第２位置を通過するまでに第１搬送部材の搬送の速さと第２搬送部材の搬送の速さをほぼ同じ速さに走行させる様に各々を制御する制御器と、
で構成される搬送装置。
【請求項２】
制御器を、該検出器からの信号に基づいて、前記搬送方向上手側にある板状体の同方向下手側端部が第１位置に到達したタイミングに合わせて、第１中間搬送部材を第１位置から第２搬送部材の搬送の速さとほぼ同速で走行している第１搬送部材の搬送の速さとほぼ等しい速さで走行させ、次に第１中間搬送部材の搬送面の下手側端部が第２搬送部材の搬送面よりも上方に移動してから第１搬送部材の搬送の速さと第１中間搬送部材の搬送の速さを第２搬送部材の搬送の速さより遅い速さに走行させ、次に第１中間搬送部材の搬送面の下手側端部が第２位置を通過するまでに第１搬送部材の搬送の速さと第１中間搬送部材の搬送の速さを第２搬送部材の搬送の速さとほぼ同じ速さに走行させる様に各々を制御するように構成した、請求項１記載の搬送装置。
【請求項３】
制御器を、該検出器からの信号に基づいて、前記搬送方向上手側にある板状体の同方向下手側端部が第１位置に到達したタイミングに合わせて、第１中間搬送部材を第１位置から第２搬送部材の搬送の速さとほぼ同速で走行している第１搬送部材の搬送の速さとほぼ等しい速さで走行させ、次に第１中間搬送部材の搬送面の下手側端部が第２搬送部材の搬送面よりも上方に移動してから第２搬送部材の搬送の速さを第１搬送部材の搬送の速さより早い速さに走行させ、次に第１中間搬送部材の搬送面の下手側端部が第２位置を通過するまでに第２搬送部材の搬送の速さを第１搬送部材の搬送の速さとほぼ同じ速さに走行させる様に各々を制御するように構成した、請求項１記載の搬送装置。
【請求項４】搬送方向に所定寸法で且つ該搬送方向に実質的に隙間ない状態の板状体を搬送自在な第１搬送部材と、
第１搬送部材の搬送方向下手側端部近辺より搬送方向下手側に渡って配備され、板状体を第１搬送部材の搬送方向と同じ方向に搬送自在な第２搬送部材と、
第１搬送部材の搬送方向下手側端部よりも搬送方向上手側に設けられた第３位置と、第２搬送部材側から第１搬送部材の搬送方向下手側端部に至るまでの間に設けられた第４位置との間だけで、搬送面が少なくとも第１搬送部材の搬送面よりも上方となる状態で第２搬送部材の搬送方向と同じ方向に変速走行し、板状体を搬送自在な第２中間搬送部材と、
間隔を開けるべき２枚の板状体で、搬送方向下手側にある板状体の同方向下手側端部が第３位置より搬送方向下手側に所定距離離れた位置に到達したことを検出自在な検出器と、
該検出器からの信号に基づいて、前記搬送方向下手側にある板状体の同方向上手側端部が第３位置に到達するタイミングに合わせて、第２中間搬送部材の搬送面の上手側端部が第３位置に到達するタイミングで該第２中間搬送部材を第３位置から第２搬送部材の搬送の速さとほぼ同速で走行している第１搬送部材の搬送の速さとほぼ等しい速さで走行させ、次に第２中間搬送部材の搬送面の上手側端部が第１搬送部材の搬送面よりも上方に移動してから第１搬送部材の搬送の速さと第２搬送部材の搬送の速さとを比較して第１搬送部材の搬送の速さの方が相対的に遅くなるように走行させ、次に第２中間搬送部材の上手側端部が第４位置を通過するまでに第１搬送部材の搬送の速さと第２搬送部材の搬送の速さをほぼ同じ速さに走行させる様に各々を制御する制御器と、
で構成される搬送装置。
【請求項５】
制御器を、該検出器からの信号に基づいて、前記搬送方向下手側にある板状体の同方向上手側端部が第３位置に到達するタイミングに合わせて、第２中間搬送部材の搬送面の上手側端部が第３位置に到達するタイミングで該第２中間搬送部材を第３位置から第２搬送部材の搬送の速さとほぼ同速で走行している第１搬送部材の搬送の速さとほぼ等しい速さで走行させ、次に第２中間搬送部材の搬送面の上手側端部が第１搬送部材の搬送面よりも上方に移動してから第１搬送部材の搬送の速さを第２搬送部材の搬送の速さより遅い速さに走行させ、次に第２中間搬送部材の上手側端部が第４位置を通過するまでに第１搬送部材の搬送の速さを第２搬送部材の搬送の速さとほぼ同じ速さに走行させる様に各々を制御するように構成した、請求項４記載の搬送装置。
【請求項６】
制御器を、該検出器からの信号に基づいて、前記搬送方向下手側にある板状体の同方向上手側端部が第３位置に到達するタイミングに合わせて、第２中間搬送部材の搬送面の上手側端部が第３位置に到達するタイミングで該第２中間搬送部材を第３位置から第２搬送部材の搬送の速さとほぼ同速で走行している第１搬送部材の搬送の速さとほぼ等しい速さで走行させ、次に第２中間搬送部材の搬送面の上手側端部が第１搬送部材の搬送面よりも上方に移動してから第２中間搬送部材の搬送の速さと第２搬送部材の搬送の速さを第１搬送部材の搬送の速さより早い速さに走行させ、次に第２中間搬送部材の上手側端部が第４位置を通過するまでに第２中間搬送部材の搬送の速さと第２搬送部材の搬送の速さを第１搬送部材の搬送の速さとほぼ同じ速さに走行させる様に各々を制御するように構成した、請求項４記載の搬送装置。
【手続補正２】
【補正対象書類名】明細書
【補正対象項目名】０００５
【補正方法】変更
【補正の内容】
【０００５】
【問題点を解決するための手段】
このため、搬送方向に所定寸法で且つ該搬送方向に実質的に隙間ない状態の板状体を搬送自在な第１搬送部材と、第１搬送部材の搬送方向下手側端部近辺より搬送方向下手側に渡って配備され、板状体を第１搬送部材の搬送方向と同じ方向に搬送自在な第２搬送部材と、第１搬送部材側から第２搬送部材の搬送方向上手側端部に至るまでの間に設けられた第１位置と、第２搬送部材の前記上手側端部よりも搬送方向下手側に設けられた第２位置との間だけで、搬送面が少なくとも第２搬送部材の搬送面よりも上方となる状態で第１搬送部材の搬送方向と同じ方向に変速走行し、板状体を搬送自在な第１中間搬送部材と、間隔を開けるべき２枚の板状体で、搬送方向上手側にある板状体の同方向下手側端部が第１位置より搬送方向上手側に所定距離離れた位置に到達したことを検出自在な検出器と、該検出器からの信号に基づいて、前記搬送方向上手側にある板状体の同方向下手側端部が第１位置に到達したタイミングに合わせて、第１中間搬送部材を第１位置から第２搬送部材の搬送の速さとほぼ同速で走行している第１搬送部材の搬送の速さとほぼ等しい速さで走行させ、次に第１中間搬送部材の搬送面の下手側端部が第２搬送部材の搬送面よりも上方に移動してから第１搬送部材の搬送の速さと第２搬送部材の搬送の速さとを比較して第２搬送部材の搬送の速さの方が相対的に早くなるように走行させ、次に第１中間搬送部材の搬送面の下手側端部が第２位置を通過するまでに第１搬送部材の搬送の速さと第２搬送部材の搬送の速さをほぼ同じ速さに走行させる様に各々を制御する制御器と、で搬送装置を構成する。（請求項１）
これら搬送装置において、制御器を、該検出器からの信号に基づいて、前記搬送方向上手側にある板状体の同方向下手側端部が第１位置に到達したタイミングに合わせて、第１中間搬送部材を第１位置から第２搬送部材の搬送の速さとほぼ同速で走行している第１搬送部材の搬送の速さとほぼ等しい速さで走行させ、次に第１中間搬送部材の搬送面の下手側端部が第２搬送部材の搬送面よりも上方に移動してから第１搬送部材の搬送の速さと第１中間搬送部材の搬送の速さを第２搬送部材の搬送の速さより遅い速さに走行させ、次に第１中間搬送部材の搬送面の下手側端部が第２位置を通過するまでに第１搬送部材の搬送の速さと第１中間搬送部材の搬送の速さを第２搬送部材の搬送の速さとほぼ同じ速さに走行させる様に各々を制御するように構成しても良い。（請求項２）
また同じくこれら搬送装置において、制御器を、該検出器からの信号に基づいて、前記搬送方向上手側にある板状体の同方向下手側端部が第１位置に到達したタイミングに合わせて、第１中間搬送部材を第１位置から第２搬送部材の搬送の速さとほぼ同速で走行している第１搬送部材の搬送の速さとほぼ等しい速さで走行させ、次に第１中間搬送部材の搬送面の下手側端部が第２搬送部材の搬送面よりも上方に移動してから第２搬送部材の搬送の速さを第１搬送部材の搬送の速さより早い速さに走行させ、次に第１中間搬送部材の搬送面の下手側端部が第２位置を通過するまでに第２搬送部材の搬送の速さを第１搬送部材の搬送の速さとほぼ同じ速さに走行させる様に各々を制御するように構成しても良い。（請求項３）
一方、搬送方向に所定寸法で且つ該搬送方向に実質的に隙間ない状態の板状体を搬送自在な第１搬送部材と、第１搬送部材の搬送方向下手側端部近辺より搬送方向下手側に渡って配備され、板状体を第１搬送部材の搬送方向と同じ方向に搬送自在な第２搬送部材と、第１搬送部材の搬送方向下手側端部よりも搬送方向上手側に設けられた第３位置と、第２搬送部材側から第１搬送部材の搬送方向下手側端部に至るまでの間に設けられた第４位置との間だけで、搬送面が少なくとも第１搬送部材の搬送面よりも上方となる状態で第２搬送部材の搬送方向と同じ方向に変速走行し、板状体を搬送自在な第２中間搬送部材と、間隔を開けるべき２枚の板状体で、搬送方向下手側にある板状体の同方向下手側端部が第３位置より搬送方向下手側に所定距離離れた位置に到達したことを検出自在な検出器と、該検出器からの信号に基づいて、前記搬送方向下手側にある板状体の同方向上手側端部が第３位置に到達するタイミングに合わせて、第２中間搬送部材の搬送面の上手側端部が第３位置に到達するタイミングで該第２中間搬送部材を第３位置から第２搬送部材の搬送の速さとほぼ同速で走行している第１搬送部材の搬送の速さとほぼ等しい速さで走行させ、次に第２中間搬送部材の搬送面の上手側端部が第１搬送部材の搬送面よりも上方に移動してから第１搬送部材の搬送の速さと第２搬送部材の搬送の速さとを比較して第１搬送部材の搬送の速さの方が相対的に遅くなるように走行させ、次に第２中間搬送部材の上手側端部が第４位置を通過するまでに第１搬送部材の搬送の速さと第２搬送部材の搬送の速さをほぼ同じ速さに走行させる様に各々を制御する制御器と、で構成される搬送装置としても良い。（請求項４）
これら搬送装置において、制御器を該検出器からの信号に基づいて、前記搬送方向下手側にある板状体の同方向上手側端部が第３位置に到達するタイミングに合わせて、第２中間搬送部材の搬送面の上手側端部が第３位置に到達するタイミングで該第２中間搬送部材を第３位置から第２搬送部材の搬送の速さとほぼ同速で走行している第１搬送部材の搬送の速さとほぼ等しい速さで走行させ、次に第２中間搬送部材の搬送面の上手側端部が第１搬送部材の搬送面よりも上方に移動してから第１搬送部材の搬送の速さを第２搬送部材の搬送の速さより遅い速さに走行させ、次に第２中間搬送部材の上手側端部が第４位置を通過するまでに第１搬送部材の搬送の速さを第２搬送部材の搬送の速さとほぼ同じ速さに走行させる様に各々を制御するように構成しても良い。（請求項５）
またこれら搬送装置において、制御器を、該検出器からの信号に基づいて、前記搬送方向下手側にある板状体の同方向上手側端部が第３位置に到達するタイミングに合わせて、第２中間搬送部材の搬送面の上手側端部が第３位置に到達するタイミングで該第２中間搬送部材を第３位置から第２搬送部材の搬送の速さとほぼ同速で走行している第１搬送部材の搬送の速さとほぼ等しい速さで走行させ、次に第２中間搬送部材の搬送面の上手側端部が第１搬送部材の搬送面よりも上方に移動してから第２中間搬送部材の搬送の速さと第２搬送部材の搬送の速さを第１搬送部材の搬送の速さより早い速さに走行させ、次に第２中間搬送部材の上手側端部が第４位置を通過するまでに第２中間搬送部材の搬送の速さと第２搬送部材の搬送の速さを第１搬送部材の搬送の速さとほぼ同じ速さに走行させる様に各々を制御するように構成しても良い。（請求項６）